(57)【要約】【課題】事前のキャンペーン商品の用意やキャンペーン用ツールなしに実行できる。【解決手段】この商品販売促進システムは、当選した顧客のデータを景品配送手段と顧客ＤＢとに送信する景品管理サーバーと、顧客に景品を送付する景品配送手段と、各店舗の店舗サーバーから送信された在庫実績から在庫情報の管理を行い、必要なときにキャンペーン商品関連情報を店舗サーバーに送信する在庫管理サーバーと、顧客への商品販売時の精算処理を行い、各キャンペーン対象商品に対し商品に付随された情報記憶手段より商品のシリアル番号を読み取り、店舗サーバーから送信されたキャンペーン商品関連情報を調べ、発行するレシートに当選情報と顧客の当選ＩＤとを印刷するＰＯＳレジスターと、在庫管理サーバーに店舗内の各商品の在庫実績を送信し、在庫管理サーバーからキャンペーン商品関連情報を受信し、ＰＯＳレジスターに送信する店舗サーバーとを備える。【選択図】      図１
2006113974.tif 000002
【特許請求の範囲】
【請求項１】
景品管理サーバーと景品配送手段と顧客ＤＢ（データベース）と在庫管理サーバーとを含むメーカー／チェーン本部と、ＰＯＳレジスターと店舗サーバーとを含む店舗とを含む商品販売促進システムにおいて、
前記景品管理サーバーは、景品の当たった顧客から送信されたデータを受け付け、このデータを前記景品配送手段と前記顧客ＤＢとに送信し、
前記景品配送手段は、前記景品管理サーバーから送信された前記データより顧客に対し景品の送付を行い、
前記顧客ＤＢは、前記景品管理サーバーから送信された前記データをこの顧客ＤＢに追加処理を行い、
前記在庫管理サーバーは、各店舗の前記店舗サーバーから送信された在庫実績から在庫情報の管理を行い、必要と判断されたときにキャンペーン商品関連情報を前記店舗サーバーに送信し、
前記ＰＯＳレジスターは、顧客への商品販売時の精算処理を行い、各キャンペーン対象商品に対し商品に付随された情報記憶手段より商品のシリアル番号を読み取り、前記店舗サーバーから送信されたキャンペーン商品関連情報を調べ、前記シリアル番号が当たりである場合は発行するレシートにおいて景品が当たったという情報と前記景品管理サーバーに顧客が情報を送信する際に使用する当選ＩＤを印刷し、
前記店舗サーバーは、前記在庫管理サーバーに店舗内の各商品の在庫実績を送信し、前記在庫管理サーバーからキャンペーン商品関連情報を受信し、前記ＰＯＳレジスターに送信することにより、
事前のキャンペーン商品の用意やキャンペーン用ツールなしに実行することができることを特徴とする商品販売促進システム。
【請求項２】
前記情報記憶手段がＲＦＩＤ（Ｒａｄｉｏ  Ｆｒｅｑｕｅｎｃｙ  ＩＤｅｎｔｉｆｉｃａｔｉｏｎ）であることを特徴とする請求項１記載の商品販売促進システム。
【請求項３】
前記情報記憶手段が２次元バーコードであることを特徴とする請求項１記載の商品販売促進システム。
【請求項４】
在庫管理サーバーに各店舗の店舗サーバーより送付された在庫実績を用いてメーカー／チェーン本部にて各単品の実績分析を行い、この実績分析結果より各単品に対しキャンペーンを実行するかどうかを判断し、
販売不振等の理由等よりキャンペーンの実行が必要と判断された商品に関するキャンペーン商品関連情報を前記在庫管理サーバーより各店舗の前記店舗サーバーに送信し、次に、店舗内ではポップ等を使用し、顧客に対しキャンペーン実行中である旨を通知し、キャンペーン商品の販売を行い、
それまでも販売されていた商品がキャンペーン用シール等をはること無しに、キャンペーン商品とし、
精算処理を行うＰＯＳレジスターでは、前記店舗サーバーから送られた前記キャンペーン商品関連情報を元に、各キャンペーン対象商品に対し商品に付随された情報記憶手段より商品のシリアル番号を読み取り、顧客が購入した商品内にキャンペーン商品があった場合は当選しているかどうかを判定し、当選した場合は発行するレシートにおいて景品が当たったという情報と景品管理サーバーに顧客が情報を送信する際に使用する当選ＩＤを印刷し発行し、
当選した顧客はＰＣもしくは携帯電話等でインターネットの所定のアドレスを入力することにより前記景品管理サーバーにアクセスし、所定のフォームに従い当選ＩＤ、住所、氏名、電話番号、メールアドレス等を入力し、情報を送信し、前記メーカー／チェーン本部側では本情報を前記顧客ＤＢに登録し、景品配送手段より顧客に対し景品の送付を行う
ことを特徴とする商品販売促進方法。
【請求項５】
コンピュータに、
在庫管理サーバーに各店舗の店舗サーバーより送付された在庫実績を用いてメーカー／チェーン本部にて各単品の実績分析を行い、この実績分析結果より各単品に対しキャンペーンを実行するかどうかを判断し、
販売不振等の理由等よりキャンペーンの実行が必要と判断された商品に関するキャンペーン商品関連情報を前記在庫管理サーバーより各店舗の前記店舗サーバーに送信し、次に、店舗内ではポップ等を使用し、顧客に対しキャンペーン実行中である旨を通知し、キャンペーン商品の販売を行い、
それまでも販売されていた商品がキャンペーン用シール等をはること無しに、キャンペーン商品とし、
精算処理を行うＰＯＳレジスターでは、前記店舗サーバーから送られた前記キャンペーン商品関連情報を元に、各キャンペーン対象商品に対し商品に付随された情報記憶手段より商品のシリアル番号を読み取り、顧客が購入した商品内にキャンペーン商品があった場合は当選しているかどうかを判定し、当選した場合は発行するレシートにおいて景品が当たったという情報と景品管理サーバーに顧客が情報を送信する際に使用する当選ＩＤを印刷し発行し、
当選した顧客はＰＣもしくは携帯電話等でインターネットの所定のアドレスを入力することにより前記景品管理サーバーにアクセスし、所定のフォームに従い当選ＩＤ、住所、氏名、電話番号、メールアドレス等を入力し、情報を送信し、前記メーカー／チェーン本部側では本情報を前記顧客ＤＢに登録し、景品配送手段より顧客に対し景品の送付を行うことを実現するための商品販売促進用プログラム。
【請求項６】
前記キャンペーン実施後に前記在庫管理サーバーにて得られる在庫実績より、在庫数が減少した理由でキャンペーンを停止するという判断をした場合、前記店舗サーバーに情報を送信することで、前記ＰＯＳレジスターにてキャンペーン対応のレシート発行を停止することを特徴とする請求項４記載の商品販売促進方法。
【発明の詳細な説明】
【技術分野】
【０００１】
本発明は商品販売促進システム、商品販売促進方法、および商品販売促進用プログラムに関し、特に事前のキャンペーン商品の用意やキャンペーン用シールなしに実行することができる商品販売促進システム、商品販売促進方法、および商品販売促進用プログラムに関する。
【背景技術】
【０００２】
店舗等において入荷し商品陳列棚に置いた商品の管理に関しては、古くはバーコードを、近年ではＲＦＩＤ（Ｒａｄｉｏ  Ｆｒｅｑｕｅｎｃｙ  ＩＤｅｎｔｉｆｉｃａｔｉｏｎ）を用いて効率化が検討されている。バーコードを使用した商品管理では、商品に貼り付けられたバーコードの情報をひとつひとつ手作業でリーダーを近づけて読み取る必要があったが、ＲＦＩＤを用いることによりリアルタイムで自動的に情報を読み取ることが可能となる。
【０００３】
ある程度の情報記憶機能を持ったＲＦＩＤを商品に貼り付けた場合、従来のバーコードより多くの情報を保持することが可能となる。従来のバーコードを商品管理にて使用する場合は、ＪＡＮ（Ｊａｐａｎｅｓｅ  Ａｒｔｉｃｌｅ  Ｎｕｍｂｅｒ）コード等が使用されるが、商品のアイテムコード等の情報は記憶可能であるが、シリアル番号のような商品アイテム内の個別識別用の情報は記憶できない。一方、ある程度以上の記憶機能を持ったＲＦＩＤを用いた場合にはシリアル番号の記憶も可能となる。商品にシリアル番号を付与する方法としてはその他にも従来のバーコードより記憶できる情報量の多い２次元バーコードを使用するという方法も考えられる。
【０００４】
商品の販売に関しては従来、例えば特定の商品に対してキャンペーンを行い、ある一定の確率で景品があたるようにし販売促進を行うという方策がとられることがある。このような場合、あらかじめ店舗に入荷した商品において既にある一定の確率で景品があたるようになっている場合や、店舗側にて既に入荷済みの商品に対しキャンペーン用のツールを使用する場合がある。前者の従来例としては例えば特開２００２−８３２５０号公報記載の技術がある。後者のキャンペーン用ツールとしては例えばある一定の確率で景品があたるようになったシールが考えられる。
【０００５】
従来のキャンペーン用のツールを使用した場合の例を図５に示す。メーカーもしくはコンビニエンスストア等のメーカー／チェーン本部にて作成したシール等のキャンペーンツールを店舗側に送付する。店舗側ではキャンペーン対象商品に対し送付されたキャンペーンツールを商品に貼り付ける。顧客はこのような商品を購入後、例えばシールの場合であればシールを剥がし景品があたったかどうかを確認する。それ以外にもこのようなシールを１枚もしくは複数枚集めメーカー／チェーン本部に送付し、メーカー／チェーン本部側で景品があたったかどうかを決定するという方法もある。顧客は景品があたった場合は例えばパーソナル端末もしくは携帯端末により所定のアドレスを入力することにより景品管理サーバー１０１にデータ（シールに付与されたＩＤ、顧客の住所、氏名、電話番号等）を入力する。メーカー／チェーン本部では、景品配送手段１０２より顧客に対し景品の配送を行う。また、顧客より景品管理サーバー１０１に送信されたデータより顧客ＤＢ（データベース）１０３を作成し、セールス情報配信や購入層分析等の各種用途に使用する。
【０００６】
【特許文献１】特開２００２−８３２５０号公報（第３−５頁、図１）
【発明の開示】
【発明が解決しようとする課題】
【０００７】
第１の問題点は、商品の売上状況によりキャンペーン実行が必要と判断されても至急対応することができないということである。その理由は、キャンペーン対応商品の用意やシール等のキャンペーン用ツールの作成のための期間が必要となるためである。
【０００８】
第２の問題点は、キャンペーン実施にはコストがかかるということである。その理由は、キャンペーン対応商品の用意やシール等のキャンペーン用ツールの作成費用がかかるためである。
【０００９】
本発明の目的は、事前のキャンペーン商品の用意やキャンペーン用シールなしに実行することができる商品販売促進システム、商品販売促進方法、および商品販売促進用プログラムを提供することにある。
【課題を解決するための手段】
【００１０】
本発明の商品販売促進システムは、景品管理サーバーと景品配送手段と顧客ＤＢ（データベース）と在庫管理サーバーとを含むメーカー／チェーン本部と、ＰＯＳレジスターと店舗サーバーとを含む店舗とを含む商品販売促進システムにおいて、
前記景品管理サーバーは、景品の当たった顧客から送信されたデータを受け付け、このデータを前記景品配送手段と前記顧客ＤＢとに送信し、
前記景品配送手段は、前記景品管理サーバーから送信された前記データより顧客に対し景品の送付を行い、
前記顧客ＤＢは、前記景品管理サーバーから送信された前記データをこの顧客ＤＢに追加処理を行い、
前記在庫管理サーバーは、各店舗の前記店舗サーバーから送信された在庫実績から在庫情報の管理を行い、必要と判断されたときにキャンペーン商品関連情報を前記店舗サーバーに送信し、
前記ＰＯＳレジスターは、顧客への商品販売時の精算処理を行い、各キャンペーン対象商品に対し商品に付随された情報記憶手段より商品のシリアル番号を読み取り、前記店舗サーバーから送信されたキャンペーン商品関連情報を調べ、前記シリアル番号が当たりである場合は発行するレシートにおいて景品が当たったという情報と前記景品管理サーバーに顧客が情報を送信する際に使用する当選ＩＤを印刷し、
前記店舗サーバーは、前記在庫管理サーバーに店舗内の各商品の在庫実績を送信し、前記在庫管理サーバーからキャンペーン商品関連情報を受信し、前記ＰＯＳレジスターに送信することにより、
事前のキャンペーン商品の用意やキャンペーン用ツールなしに実行することができる。
【００１１】
また、本発明の商品販売促進システムは、前記情報記憶手段がＲＦＩＤ（Ｒａｄｉｏ
Ｆｒｅｑｕｅｎｃｙ  ＩＤｅｎｔｉｆｉｃａｔｉｏｎ）であることを特徴とする。
【００１２】
さらに、本発明の商品販売促進システムは、前記情報記憶手段が２次元バーコードであることを特徴とする。
【００１３】
さらに、本発明の商品販売促進方法は、在庫管理サーバーに各店舗の店舗サーバーより送付された在庫実績を用いてメーカー／チェーン本部にて各単品の実績分析を行い、この実績分析結果より各単品に対しキャンペーンを実行するかどうかを判断し、
販売不振等の理由等よりキャンペーンの実行が必要と判断された商品に関するキャンペーン商品関連情報を前記在庫管理サーバーより各店舗の前記店舗サーバーに送信し、次に、店舗内ではポップ等を使用し、顧客に対しキャンペーン実行中である旨を通知し、キャンペーン商品の販売を行い、
それまでも販売されていた商品がキャンペーン用シール等をはること無しに、キャンペーン商品とし、
精算処理を行うＰＯＳレジスターでは、前記店舗サーバーから送られた前記キャンペーン商品関連情報を元に、各キャンペーン対象商品に対し商品に付随された情報記憶手段より商品のシリアル番号を読み取り、顧客が購入した商品内にキャンペーン商品があった場合は当選しているかどうかを判定し、当選した場合は発行するレシートにおいて景品が当たったという情報と景品管理サーバーに顧客が情報を送信する際に使用する当選ＩＤを印刷し発行し、
当選した顧客はＰＣもしくは携帯電話等でインターネットの所定のアドレスを入力することにより前記景品管理サーバーにアクセスし、所定のフォームに従い当選ＩＤ、住所、氏名、電話番号、メールアドレス等を入力し、情報を送信し、前記メーカー／チェーン本部側では本情報を前記顧客ＤＢに登録し、景品配送手段より顧客に対し景品の送付を行う
ことを特徴とする。
【００１４】
さらに、本発明の商品販売促進用プログラムは、コンピュータに、
在庫管理サーバーに各店舗の店舗サーバーより送付された在庫実績を用いてメーカー／チェーン本部にて各単品の実績分析を行い、この実績分析結果より各単品に対しキャンペーンを実行するかどうかを判断し、
販売不振等の理由等よりキャンペーンの実行が必要と判断された商品に関するキャンペーン商品関連情報を前記在庫管理サーバーより各店舗の前記店舗サーバーに送信し、次に、店舗内ではポップ等を使用し、顧客に対しキャンペーン実行中である旨を通知し、キャンペーン商品の販売を行い、
それまでも販売されていた商品がキャンペーン用シール等をはること無しに、キャンペーン商品とし、
精算処理を行うＰＯＳレジスターでは、前記店舗サーバーから送られた前記キャンペーン商品関連情報を元に、各キャンペーン対象商品に対し商品に付随された情報記憶手段より商品のシリアル番号を読み取り、顧客が購入した商品内にキャンペーン商品があった場合は当選しているかどうかを判定し、当選した場合は発行するレシートにおいて景品が当たったという情報と景品管理サーバーに顧客が情報を送信する際に使用する当選ＩＤを印刷し発行し、
当選した顧客はＰＣもしくは携帯電話等でインターネットの所定のアドレスを入力することにより前記景品管理サーバーにアクセスし、所定のフォームに従い当選ＩＤ、住所、氏名、電話番号、メールアドレス等を入力し、情報を送信し、前記メーカー／チェーン本部側では本情報を前記顧客ＤＢに登録し、景品配送手段より顧客に対し景品の送付を行うことを実現するための。
【００１５】
さらに、本発明の商品販売促進方法は、前記キャンペーン実施後に前記在庫管理サーバーにて得られる在庫実績より、在庫数が減少した理由でキャンペーンを停止するという判断をした場合、前記店舗サーバーに情報を送信することで、前記ＰＯＳレジスターにてキャンペーン対応のレシート発行を停止することを特徴とする。
【発明の効果】
【００１６】
第１の効果は、商品の売上を向上させることができることにある。その理由は、必要と判断された時点で即時にキャンペーンを実行することができるためである。
【００１７】
第２の効果は、キャンペーン実施における経費を削減することができることにある。その理由は、キャンペーン対応商品の用意やシール等のキャンペーン用ツールの作成が不要となるためである。
【発明を実施するための最良の形態】
【００１８】
次に、発明を実施するための最良の形態について図面を参照して詳細に説明する。
【００１９】
図１を参照すると、本発明の一実施の形態の商品販売促進システムは、顧客１０とメーカー／チェーン本部２０と店舗３０とから構成されている。
【００２０】
メーカー／チェーン本部２０は、景品管理サーバー２０１と景品配送手段２０２と顧客ＤＢ（データベース）２０３と在庫管理サーバー２０４とを含む。
【００２１】
店舗３０は、ＰＯＳレジスター２０５と店舗サーバー２０６とを含む。
【００２２】
景品管理サーバー２０１は、景品の当たった顧客から送信されたデータを受け付け、このデータを景品配送手段２０２と顧客ＤＢ２０３とに送信する。
【００２３】
景品配送手段２０２は、景品管理サーバー２０１から送信されたデータより顧客に対し景品の送付を行う。
【００２４】
顧客ＤＢ２０３は、景品管理サーバー２０１より送信されたデータを顧客ＤＢ２０３に追加処理を行う。
【００２５】
在庫管理サーバー２０４は、各店舗３０の店舗サーバー２０６から送信された在庫実績から在庫情報の管理を行い、必要と判断されたときにキャンペーン商品関連情報を店舗サーバー２０６に送信する。
【００２６】
ＰＯＳレジスター２０５は、顧客への商品販売時の精算処理を行い、各キャンペーン対象商品に対し商品に付随された情報記憶手段３０２より商品のシリアル番号を読み取り、店舗サーバー２０６から送信されたキャンペーン商品関連情報を調べ、上記シリアル番号が当たりである場合は発行するレシートにおいて景品が当たったという情報と景品管理サーバー２０１に顧客が情報を送信する際に使用する当選ＩＤを印刷する。
【００２７】
店舗サーバー２０６は、在庫管理サーバー２０４に店舗内の各商品の在庫実績を送信し、在庫管理サーバー２０４からキャンペーン商品関連情報を受信し、ＰＯＳレジスター２０５に送信する。
【００２８】
次に、図１および図４のフローチャートを参照して本実施の形態の全体の動作について詳細に説明する。
【００２９】
以下では店舗内の各商品に情報記憶手段３０２としてＲＦＩＤが付随されており、各商品のシリアル番号が記憶されている例を用いて説明する。
【００３０】
本発明では情報記憶手段３０２としては２次元バーコード等の他の方法でも適応可能である。また情報記憶手段３０２においては商品識別用の個別ＩＤのみ記憶されていて、店舗サーバー２０６内に各個別ＩＤ毎のシリアル番号等のその他の情報が記憶されているという実現方法も有り得る。なお、ここでの「付随」とは、記憶媒体等に貼り付けられたものに限らず、表面につけられたり、印刷されたり、吊り下げられたり、内蔵されたりする場合など、記憶媒体等に付属していることが明らかな状態をいう。このような商品の例を図２に示す。図２においては、商品３０１に情報記憶手段３０２が付随されている。
【００３１】
まず、在庫管理サーバー２０４に各店舗３０の店舗サーバー２０６より送付された在庫実績を用いてメーカー／チェーン本部２０にて各単品の実績分析を行い（図４のステップＳ１）、この実績分析結果より各単品に対しキャンペーンを実行するかどうかを判断する（ステップＳ２）。ここでは、例えば“オリジナル牛乳”に対しキャンペーンを行うと決定したものとする。
【００３２】
販売不振等の理由等よりキャンペーンの実行が必要と判断された商品に関するキャンペーン商品関連情報を在庫管理サーバー２０４より各店舗３０の店舗サーバー２０６に送信する（ステップＳ３）。キャンペーン商品関連情報としては、例えば１等、２等、３等などの景品が当選することになる現在の店舗内在庫である商品のシリアル番号が考えられる。また、単に各景品の個数のみであり、送信された店舗サーバー２０６にて、現在の店舗内在庫となっている各商品のシリアル番号のうちから選び各景品に割り当てるという方法も考えられる。次に、店舗内ではポップ等を使用し、顧客に対しキャンペーン実行中である旨を通知し、キャンペーン商品の販売を行う（ステップＳ４）。
【００３３】
それまでも販売されていた商品がキャンペーン用シール等をはること無しに、ステップＳ４終了後キャンペーン商品となる。精算処理を行うＰＯＳレジスター２０５では、店舗サーバー２０６から送られたキャンペーン商品関連情報を元に、各キャンペーン対象商品に対し商品に付随された情報記憶手段３０２より商品のシリアル番号を読み取り、顧客が購入した商品内にキャンペーン商品があった場合は当選しているかどうかを判定し、当選した場合は発行するレシートにおいて景品が当たったという情報と景品管理サーバー２０１に顧客が情報を送信する際に使用する当選ＩＤを印刷し発行する（ステップＳ５）。本レシートの例を図３に示す。図３では１等が当たったという情報と当選ＩＤとしてＮｏ．１２３４−５６７８が印刷されている。
【００３４】
当選した顧客はＰＣもしくは携帯電話等でインターネットの所定のアドレスを入力することにより景品管理サーバー２０１にアクセスし、例えば所定のフォームに従い当選ＩＤ、住所、氏名、電話番号、メールアドレス等を入力し、情報を送信する（ステップＳ６）。メーカー／チェーン本部２０側では本情報を顧客ＤＢ２０３に登録し（ステップＳ７）、景品配送手段２０２より顧客に対し景品の送付を行う（ステップＳ８）。
【００３５】
なお、本実施の形態ではレシートに当選ＩＤが印刷される例を示したが、例えば顧客側が情報記憶手段３０２の読み取り手段を所持しているものとし（例：携帯電話にＲＦＩＤのリーダーが内蔵されている等）、ＰＯＳレジスター２０５にて精算処理を行う際に、キャンペーン商品の情報記憶手段３０２内のシリアル番号を読み込み当選しているかどうか判定し、当選している場合は当選情報をＰＯＳレジスター２０５にて情報記憶手段３０２に書き込むという方法も考えられる。顧客は精算処理終了後商品に付随された情報記憶手段３０２の記憶内容を読み込み、当選しているかどうかを調べ、当選している場合は例えば同時に当選ＩＤが表示されるという方法も考えられる（当選ＩＤを入手した以降の処理はステップＳ６以降と同じ）。
【００３６】
また、キャンペーン実施後に在庫管理サーバー２０４にて得られる在庫実績より、在庫数が減少した等の理由でキャンペーンを停止するという判断をした場合、店舗サーバー２０６に情報を送信することで、ＰＯＳレジスター２０５にてキャンペーン対応のレシート発行を停止するということも可能となる。また、キャンペーン実施した後にも在庫数が減少しない場合は、キャンペーン内容の変更（景品の当たる割合を増やす、景品内容を変更するなど）を行うということも可能になる。
【００３７】
また、全店舗にてキャンペーンを行うだけでなく、商品在庫の多い特定の店舗のみでキャンペーンを実施することも可能である。
【産業上の利用可能性】
【００３８】
本発明によれば、コンビニエンスストアやスーパーマーケット等の店舗にて販売促進用にキャンペーンを行うといった用途に適用できる。
【図面の簡単な説明】
【００３９】
【図１】本発明を実施するための最良の形態の構成を示すプロック図である。
【図２】本発明にて使用される商品の具体例を示す図である。
【図３】本発明にて使用されるレシートの具体例を示す図である。
【図４】本発明を実施するための最良の形態の動作を示す流れ図である。
【図５】従来技術を示すブロック図である。
【符号の説明】
【００４０】
１０    顧客
２０    メーカー／チェーン本部
３０    店舗
２０１    景品管理サーバー
２０２    景品配送手段
２０３    顧客ＤＢ
２０４    在庫管理サーバー
２０５    ＰＯＳレジスター
２０６    店舗サーバー
３０１    商品
３０２    情報記憶手段
【図１】
2006113974.tif 000003
【図２】
2006113974.tif 000004
【図３】
2006113974.tif 000005
【図４】
2006113974.tif 000006
【図５】
2006113974.tif 000007